(57)【要約】【課題】埋込水栓等に使用される給水管継手と銅管等の金属管とを接続するに際して設計誤差や施工誤差、差し込み代を吸収することができる配管の接続構造を提供すること。【解決手段】銅管等の金属管２３と、給水管継手２０とを接続部材２１によって接続する接続構造であって、前記接続部材２１に対して前記金属管２３が伸縮可能に取り付けられていることを特徴とする。【選択図】図３
2005048398.tif 000002
【特許請求の範囲】
【請求項１】
銅管等の金属管に取り付けられた接続部材と、給水管継手とを接続する接続構造であって、前記金属管が前記接続部材に対して伸縮可能に取り付けられていることを特徴とする配管接続構造。
【請求項２】
銅管等の金属管に取り付けられた接続部材と、給水管継手とをクイックファスナーにて接続する接続構造であって、前記金属管が前記接続部材に対して伸縮可能に取り付けられていることを特徴とする配管接続構造。
【請求項３】
前記接続部材は鍔部を有する略円筒状をなし、先端部外周にはＯリングが取り付けられるとともに、後端部には前記金属管が前記接続部材から抜け落ちるのを防止する抜け防止部材を有することを特徴とする請求項１または請求項２に記載の配管接続構造。
【発明の詳細な説明】
【０００１】
【発明の属する技術分野】
本発明は、埋込水栓等の給水管継手と銅管等の金属管に取り付けられた接続部材との接続構造に関するものである。
【０００２】
【従来の技術】
従来の埋込水栓等に用いられる給水管継手２０ａと銅管等の金属管２３との接続は図７に示すように周囲にフランジ２１ｂの付いている接続部材２１ａを金属管２３の先端に固定し、給水管継手２０ａのフランジ２０ｂと、接続部材２１ａのフランジ２１ｂとを合わせ、その外周をクイックファスナー２２によって固定するものが知られている（例えば、特許文献１参照。）。
【０００３】
【特許文献１】
特開平９−１５１５０１号公報
【０００４】
【発明が解決しようとする課題】
かかる場合、金属管２３は、通常、給水管継手２０ａの取付位置等に基づく設計により、寸法が決定され、予めその寸法に加工されていることが多い。しかしながら、実際に設置施工してみると、給水管継手２０ａの取付位置に対して、金属管２３の長さが余ったり、足りなくなってしまうことがあった。この場合、施工現場にて、金属管２３を切断加工、曲げ加工したりする作業が必要となり、作業が煩雑であった。
【０００５】
また、施工現場にて、寸法を測って、金属管２３を切断等する場合にも、金属管２３と給水管継手２０ａとの接合部がきちんと適合するように、正確に計測する必要があり、作業に高度な熟練度を要していた。当然に、きちんと接続されないと、水漏れ等が発生してしまう原因にもなっていた。
【０００６】
更には、金属管２３の先端に固定された接続部材２１ａを給水管継手２０ａに差し込む際には差し込み代２７がある為、銅管を大きく湾曲させた形状のものを配置する等、銅管形状が限定されていた。
【０００７】
本発明は、上記点に鑑みて案出されたものであって、埋め込み水栓等に使用される給水管継手と銅管等の金属管に取り付けられた接続部材とを接続するに際して設計誤差、施工誤差及び差し込み代を吸収することができる配管の接続構造、即ち配管接続構造を提供することを目的としている。
【０００８】
【課題を解決するための手段】
請求項１の発明は、銅管等の金属管に取り付けられた接続部材と、給水管継手とを接続する接続構造であって、前記金属管が前記接続部材に対して伸縮可能に取り付けられていることに特徴を有する。
したがって、柔軟性の少ない金属管を埋込水栓等に使用する場合に施工誤差や差し込み代を吸収することができないという従来からの課題を解決することができる構成としている。
請求項２の発明は、銅管等の金属管に取り付けられた接続部材と、給水管継手とをクイックファスナーにて接続する接続構造であって、前記金属管が前記接続部材に対して伸縮可能に取り付けられていることに特徴を有する。
したがって、クイックファスナーを使用することによって、施工作業を迅速に行うことができるとともに、接続部材と給水管継手との接続部分の固定を強固にすることができる。
なお、請求項１記載の発明では、接続部材と給水管継手とはそれぞれに設けられた鍔部をボルト締めにより固定することもできる。
請求項３の発明は、前記接続部材は鍔部を有する略円筒状をなし、先端部外周にはＯリングが取り付けられるとともに、後端部には前記金属管が前記接続部材から抜け落ちるのを防止する抜け防止部を有することに特徴を有する。
したがって、給水管継手と銅管との間に接続部材を介在させるだけで、給水管継手と金属管とを接続固定することができると共に、金属管の施工誤差の吸収という効果も奏することができる。
【０００９】
【発明の実施の形態】
次に、本発明の実施形態を図面に基づいて説明する。勿論、下記実施形態は、本発明の一例を示すに過ぎず、本発明の技術的範囲は、下記の実施形態そのものに何ら限定されるものではない。
【００１０】
図１は、本発明の適用される埋込水栓の外部構造を示す概略図であり、図２、は本発明の適用される埋込水栓の内部構造を示す概略図である。
【００１１】
図１に示すように、本発明の適用される埋込水栓１とは、一例として浴室用のカウンター２に設置されるものであり、このカウンター２に設置された埋込水栓に接続された給水管継手２０，２０と銅管等の金属管２３，２３とを接続するための接続部材２１，２１が必要となるのである。
【００１２】
この埋込水栓１の一例として温度調節用のハンドル３を用いて吐水温度を調節し、吐止水用のハンドル４を用いて吐止水の選択、吐水量の調節、及びカラン５・シャワー６間で吐水方向の切り換えを行う湯水混合水栓がある。
【００１３】
この埋込水栓１の内部構造は図２に示すように、水栓本体１１は、背面側左方に給湯用の被接続部７ａを突出させ、背面側右方に給水用の被接続部７ｂを突出させている。
【００１４】
また、各被接続部７ａ，７ｂには逆止弁８を内蔵している。
【００１５】
さらに、給湯用の被接続部７ａは、給湯路９を通じて温度調節機構１０の湯入口に連絡され、給水用の被接続部７ｂは給水路１２を通じて温度調節機構１０の水入口に連絡されている。
【００１６】
そして、湯入口より供給される湯と、水入口より供給される水は温度調節機構１０によって所望の温度の湯水とされ、この温度調節機構１０の湯水出口を通じて湯水流路１３へと流出する。
【００１７】
さらに、湯水流路１３へと流出した湯水は吐止水機構１４に流入し、この吐止水機構１４によって、この湯水を前述のカラン５へと通ずるカラン側の流出路１５へと流出させるか、前述のシャワー６へと通ずるシャワー側の流出路１６へと流出させるかの選択と、吐止水選択及び吐止水量調節がなされるのである。
【００１８】
図３は本発明の第１の実施形態に係る配管接続構造を示す概略図である。この図に示すように、前述した埋込水栓１等と接続された給水管継手２０と接続部材２１とをクイックファスナー２２によって接続固定するものであるが、接続固定する方法は後述するように従来と同様である。
【００１９】
本発明の特徴は接続部材２１への銅管等の金属管２３の取付構造にある。まず、接続部材２１は略円筒状をなし、Ｏリング２４ａ，２４ａが取付られた先端部２１ａと、クイックファスナー２２によって固定される鍔部２１ｂと、金属管２３の調整代として機能する空洞部２１ｃと、金属管２３が接続部材２１から抜け落ちるのを防止する抜け防止部材２５ｂとから構成されている。
【００２０】
一方、金属管２３の先端部には、接続部材２１の空洞部２１ｃの内径に対応する寸法となるように縁２３ａが加工されており、その後方には抜け止め部材２５ａが嵌合する凸部２３ｂが形成されているものである。
【００２１】
上記のように形成された接続部材２１と金属管２３との結合手順は、金属管２３の先端にＯリング２４ｂと抜け止め部材２５ａとを取付けた後、この部分を接続部材２１の空洞部２１ｃに挿入する。最後に接続部材２１に形成された雄ネジ部２１ｄに、金属管２３に予め挿入されている抜け防止部材２５ｂの雌ネジ部が螺合して、接続部材２１と金属管２３との結合が完了するのである。
【００２２】
したがって、金属管２３は接続部材２１の空洞部２１ｃ内を水密構造を維持しながら、その長手方向に摺動自在となっており、且つ、抜け止め部材２５ａ、抜け防止部材２５ｂによって金属管２３が接続部材２１から抜け落ちることのない構造となっているのである。
【００２３】
図４は、別の実施形態（第２の実施形態）を示す図であり、給水管継手として壁面等に取り付けられた給水管継手２０に適用した例を示す。第２の実施形態では、給水管継手が壁面等に取り付けられている形態である点を除いては上述の実施形態と同様である。すなわち、図４に示すようにビス２０ｃ等により壁面等に取り付けられた給水管継手２０と接続部材２１とをクイックファスナー２２によって接続固定するものであるが、接続固定する方法は後述するように従来と同様である。
【００２４】
まず、接続部材２１は略円筒状をなし、Ｏリング２４ａ，２４ａが取付られた先端部２１ａと、クイックファスナー２２によって固定される鍔部２１ｂと、金属管２３の調整代として機能する空洞部２１ｃと、金属管２３が接続部材２１から抜け落ちるのを防止する抜け防止部材２５ｂとから構成されている。
【００２５】
一方、金属管２３の先端部には、接続部材２１の空洞部２１ｃの内径に対応する寸法となるように縁２３ａが加工されており、その後方には抜け止め部材２５ａが嵌合する凸部２３ｂが形成されているものである。
【００２６】
上記のように形成された接続部材２１と金属管２３との結合手順は、金属管２３の先端にＯリング２４ｂと抜け止め部材２５ａとを取付けた後、この部分を接続部材２１の空洞部２１ｃに挿入する。最後に接続部材２１に形成された雄ネジ部２１ｄに、金属管２３に予め挿入されている抜け防止部材２５ｂの雌ネジ部が螺合して、接続部材２１と金属管２３との結合が完了するのである。
【００２７】
したがって、金属管２３は接続部材２１の空洞部２１ｃ内を水密構造を維持しながら、その長手方向に摺動自在となっており、且つ、抜け止め部材２５ａ、抜け防止部材２５ｂによって金属管２３が接続部材２１から抜け落ちることのない構造となっているのである。
【００２８】
図５は、第１及び第２の実施形態の配管接続構造に用いられるクイックファスナー２２の斜視図である。上述したように接続部材２１の先端部２１ａにはＯリング２４ａ，２４ａが取付られており、先ず、この先端部２１ａを給水管継手２０の空洞部２０ａに挿嵌させ、給水管継手２０に形成された鍔部２０ｂと接続部材２１に形成された鍔部２１ｂとを衝き合わせる。
【００２９】
次に、衝き合わせられた両鍔部２０ｂ，２１ｂを板バネを曲げて形成したクイックファスナー２２の締結用クリップ２２ａに設けられた係止溝２２ｂに嵌入させて、給水管継手２０と金属管２３とは結合されるのである。
【００３０】
尚、クイックファスナー２２の締結用クリップ２２ａの脱落を防止するためには、この締結用クリップ２２ａを覆うように嵌合する保護具２６を装着すればよい。
【００３１】
以上、実施形態に基づいて本発明を説明したが、上記実施形態は、本発明の趣旨を逸脱しない範囲において、種々の改良変形が可能であることはいうまでもなく、本発明の技術的範囲には、これらの改良変形も含まれる。
【００３２】
例えば、上記実施形態では、本発明の適用例として埋込水栓を挙げているが、本発明は、当然に、これに適用されるものに限定されるものではなく、金属管と給水管継手とを接続する箇所であれば適用可能である。具体例としては、図６に示すように、主配管３０より分岐する分岐管３１を壁付水栓５０の給水管継手２１に接続する箇所に適用することも可能である。これにより、壁材と主配管３０との間に発生する設計誤差、施工誤差及び差し込み代を吸収することができる。
【００３３】
また、給水管継手は、上記実施形態で説明したような埋込水栓等とは別体で成形されて取り付けられるものに限られず、埋込水栓と一体に成形された継手部に適用することも可能である。
【００３４】
【発明の効果】
請求項１の発明は、銅管等の金属管に取り付けられた接続部材と、給水管継手とを接続する接続構造であって、前記金属管が前記接続部材に対して伸縮可能に取り付けられていることに特徴を有するので、銅管等の金属管に取り付けられた接続部材と埋め込み水栓等に使用される給水管継手とを接続するに際して設計誤差、施工誤差及び差し込み代を吸収することができる。また、施工現場における曲げ加工、切断加工その他の熟練度を要する施工作業を極力省略することもできる。
【００３５】
請求項２の発明は、銅管等の金属管に取り付けられた接続部材と、給水管継手とをクイックファスナーにて接続する接続構造であって、前記金属管が前記接続部材に対して伸縮可能に取り付けられていることに特徴を有するので、上記請求項１の発明の効果に加えて接続部材と給水管継手との接続が容易なことから施工作業を迅速容易に行うことができる。
【００３６】
請求項３の発明は、前記接続部材は鍔部有する略円筒状をなし、先端部外周にはＯリングが取り付けられるとともに、後端部には前記金属管が前記接続部材から抜け落ちるのを防止する抜け防止部を有することに特徴を有するので、Ｏリングによって接続箇所からの水漏れを防ぎ、略円筒状の接続部材によって金属管の施工誤差や差し込み代を吸収する調整を行うことができ、抜け防止部によって金属管が接続部材から抜け落ちるのを防止することができる。
【図面の簡単な説明】
【図１】本発明の適用される埋込水栓の外部構造を示す概略図である。
【図２】本発明の適用される埋込水栓の内部構造を示す概略図である。
【図３】本発明の第１の実施形態である配管接続構造を示す概略図である。
【図４】本発明の第２の実施形態である配管接続構造を示す概略図である。
【図５】第１及び第２の実施形態の配管接続構造に用いられるクイックファスナーを示す斜視図である。
【図６】本発明の適用される別の例を示す概略図である。
【図７】従来技術の接続構造を示す概略図である。
【符号の説明】
１              埋込水栓
２              カウンター
３              温度調節用のハンドル
４              吐止水用のハンドル
５              カラン
６              シャワー
７ａ            給湯用の被接続部
７ｂ            給水用の被接続部
８              逆止弁
９              給湯路
１０            温度調節機構
１１            水栓本体
１２            給水路
１３            湯水流路
１４            吐止水機構
１５            カラン側の流出路
１６            シャワー側の流出路
２０            給水管継手
２０ｂ          （給水管継手の）鍔部
２０ｃ          （給水管継手を壁材等に固定するための）ビス
２１            接続部材
２１ａ          （接続部材の）先端部
２１ｂ          （接続部材の）鍔部
２１ｃ          （接続部材の）空洞部
２１ｄ          （接続部材の）雄ネジ部
２２            クイックファスナー
２２ａ          （クイックファスナーの）締結用クリップ
２２ｂ          （クイックファスナーの）係止溝
２３            （クイックファスナーの）金属管
２３ａ          （金属管の）縁
２３ｂ          （金属管の）凸部
２４ａ，２４ｂ  Ｏリング
２５ａ          抜け止め部材
２５ｂ          抜け防止部材
２６            保護具
２７            差し込み代
３０            主配管
３１            分岐管
【図１】
2005048398.tif 000003
【図２】
2005048398.tif 000004
【図３】
2005048398.tif 000005
【図４】
2005048398.tif 000006
【図５】
2005048398.tif 000007
【図６】
2005048398.tif 000008
【図７】
2005048398.tif 000009